(57)【要約】【課題】任意のネットワーク網に常時接続された画像表示装置及び保守装置を含む画像表示装置の保守システムにおいて、画像表示装置のメインプログラムの更新を行う際、画像表示装置を稼働停止せねばならなかった従来の課題を解決し、保守装置より任意のタイミングで画像表示装置のメインプログラムデータを送信し且つ確実に画像表示装置上で更新させることを目的とする。【解決手段】保守装置より送信されたメインプログラムデータを保守データ格納手段に格納し、画像表示装置の電源投入後に制御手段Ａが常に保守データ格納手段のデータ内容を検出する構成とした。【選択図】  図１
2005024606.tif 000002
【特許請求の範囲】
【請求項１】
所定の場所に固定的に設置され任意のネットワーク網に常時接続されている画像表示装置と、
前記ネットワーク網に常時接続され前記画像表示装置の保守を行うための保守装置を備え、
前記保守装置は、
前記画像表示装置のメインプログラムデータを更新するための新規メインプログラムデータ（以下、保守データと称する）を発生する保守データ発生部と、前記保守データ発生部で生成された保守データを前記ネットワーク網を介して前記画像表示装置に送信可能とする通信手段Ｂと、前記保守データ発生部及び通信手段Ｂを各々制御する制御手段Ｂとを含み、
前記画像表示装置は、
前記画像表示装置を動作させるメインプログラムデータが格納された主記憶素子と、前記主記憶素子に格納されたメインプログラムデータを展開する揮発性メモリと、前記保守装置から送信された前記保守データを前記ネットワーク網を介して受信する通信手段Ａと、前記通信手段Ａで受信した前記保守データを格納する保守データ格納手段と、前記主記憶素子及び前記揮発性メモリ及び前記通信手段Ａ及び前記保守データ格納手段を各々制御する制御手段Ａとを含み、
前記制御手段Ａは、前記画像表示装置の電源投入後に前記保守データ格納手段に格納されているデータを参照し前記保守データが格納されている場合、前記保守データを前記主記憶素子に書き込みを行った後に前記保守データ格納手段に格納されている前記保守データを削除する機能を有することを特徴とする画像表示装置の保守システム。
【請求項２】
前記画像表示装置は、前記制御手段Ａにより制御される発光素子を更に備え、前記制御手段Ａは前記保守データを前記保守データ格納手段から前記主記憶素子に書き込む期間中、前記発光素子を光点滅或いは光点灯させる機能を更に有することを特徴とする請求項１記載の画像表示装置の保守システム。
【請求項３】
前記制御手段Ａは、前記保守データを前記保守データ格納手段から削除した後に前記画像表示装置のプログラムリセットを実行し、前記主記憶素子に新たに格納された保守データを前記揮発性メモリに展開する機能を更に有することを特徴とする請求項１及び請求項２記載の画像表示装置の保守システム。
【請求項４】
前記画像表示装置は、前記制御手段Ａにより制御される任意の画像を表示する表示手段と、前記制御手段Ａに対し外部から制御信号を入力する入力手段とを更に備え、前記制御手段Ａは前記保守データが前記保守データ格納手段に格納されていることを検知した場合、前記保守データを前記主記憶素子に書き込みを実行するか否かのメッセージ画像を前記表示手段より表示を行い、本画像表示装置の使用者が前記入力手段より前記保守データを前記主記憶素子に書き込みを実行するか否かを選択可能とする機能を有することを特徴とする請求項１から請求項３記載の画像表示装置の保守システム。
【請求項５】
前記制御手段Ａは、前記保守データを前記保守データ格納手段から削除した後に、前記通信手段Ａを制御し前記保守データを前記主記憶素子へ書き込みを実行した旨のメッセージを前記保守装置へ送信する機能を有することを特徴とする請求項１から請求項４記載の画像表示装置の保守システム。
【請求項６】
前記制御手段Ａは、前記保守データを前記主記憶素子へ書き込む際に正常に書き込みが行えたか否かを検出し、前記通信手段Ａを制御し前記検出結果を前記保守装置へ送信する機能を有することを特徴とする請求項１から請求項４記載の画像表示装置の保守システム。
【請求項７】
前記制御手段Ａは、前記保守データを前記主記憶素子へ書き込みを行う際に正常に書き込みが行えなかった場合、再度前記保守データ格納手段から前記主記憶素子への保守データの書き込みを実行し、その再書き込み動作が任意の回数を超えた時に書き込み失敗という旨のメッセージを前記保守装置に対し送信するように前記通信手段Ａを制御する機能を有することを特徴とする請求項６記載の画像表示装置の保守システム。
【請求項８】
前記画像表示装置は、前記制御手段Ａにより制御され前記保守データ格納手段に格納された前記保守データが前記画像表示装置用の保守データか否かを判別する保守データ判別手段を更に備えることを特徴とする請求項１から請求項７記載の画像表示装置の保守システム。
【請求項９】
前記保守データ判別手段は、前記保守データを送信した前記保守装置を特定する識別番号をもとに前記保守データが前記画像表示装置用の保守データか否かを判別する機能を有することを特徴とする請求項１から請求項８記載の画像表示装置の保守システム。
【請求項１０】
前記保守データ判別手段により前記保守データが前記画像表示装置用の保守データでないと判別された場合、前記制御手段Ａが前記保守データを前記保守データ格納手段から削除する機能を有することを特徴とする請求項８及び請求項９記載の画像表示装置の保守システム。
【請求項１１】
前記制御手段Ａは、前記保守装置から送信された保守データを前記保守データ格納手段に書き込みを行った後に前記通信手段Ａを制御して前記保守装置に対し前記保守データの書き込みが終了した旨のメッセージを送信する機能を有することを特徴とする請求項１から請求項１０記載の画像表示装置の保守システム。
【請求項１２】
前記制御手段Ａは、前記保守装置から送信された保守データを前記保守データ格納手段に書き込みを行う際に正常に書き込みが行えたか否かを検出し、その検出結果を前記保守装置に対し送信するように前記通信手段Ａを制御する機能を有することを特徴とする請求項１１記載の画像表示装置の保守システム。
【発明の詳細な説明】
【０００１】
【発明の属する技術分野】
本発明は、任意のネットワーク網に常時接続されたプロジェクタに代表される画像表示装置の保守システムに関するものである。
【０００２】
【従来の技術】
近年、イベント施設や文教施設或いは監視制御ルームといった多人数に対し任意の映像を大画面で提供する装置としてプロジェクタに代表される画像表示装置が用いられ、使用用途によっては数十台の画像表示装置が同時に使用されている。このような用途に使用されるプロジェクタは、一般的に５０００ルーメン以上の高輝度が要求されるため高価格となる傾向にあり、画像表示装置の買換が簡単には行えない。そこで、画像表示装置の保守作業をサービスマンが都度行い製品寿命を延ばしていく必要がある。ここ最近では、ネットワーク機能を有した画像表示装置が設置され、中央管理室に設置された保守装置（一般的にはパソコンやサーバ装置）で任意のネットワーク網を介して前記画像表示装置を一括管理して保守作業を行い、保守作業の効率化が行われている。
【０００３】
以下に従来の画像表示装置の保守システムについて説明する。
【０００４】
従来、画像表示装置の保守システムは、特開２００２−２５０９７１号公報に記載されたものが知られている。その画像表示装置の保守システムを図１７に示す。図１７は、従来の画像表示装置の保守システムの構成図を示すものである。図１７において、１はプロジェクタに代表される画像表示装置、２はパソコンに代表される保守装置、３は構内ＬＡＮやインターネット網に代表される任意のネットワーク網である。また、１９は画像表示装置１のデータ設定状態やハードウェアなどの故障を検出する状態検知手段、１５は前記状態検知手段１９で検知された結果を電子メールで任意のネットワーク網３を介して保守装置２に送信する通信手段Ａである。
【０００５】
以上のように構成された従来の画像表示装置の保守システムについて、以下その動作について説明する。
【０００６】
まず、状態検知手段１９により画像表示装置１内で発生した障害や定期的な報告に必要なデータ設定状態を検知し、その検知した情報を通信手段Ａ１５より任意のネットワーク網３を介して保守装置２へ電子メールで送信する。このような電子メールを受信した保守装置２の管理者は、画像表示装置１の状態を画像表示装置１が設置された場所に行かなくても把握することが可能となる。
【０００７】
【特許文献１】
特開２００２−２５０９７１号公報（段落番号「００１０」−「００１２」）
【０００８】
【発明が解決しようとする課題】
しかしながら、上記従来の構成では、前記画像表示装置の設置場所と離れた場所において、画像表示装置の状態を把握することは可能であるが、不具合対策を導入せねばならない等の理由により前記画像表示装置を動作させるためのメインプログラムデータを更新する場合、サービスマンが前記画像表示装置の設置場所に出向いてメインプログラムデータの更新作業を行わねばならないという問題点を有していた。
【０００９】
また、従来の構成において、通常のパソコン機器同士で行われているように、任意のネットワーク網を介して前記保守装置から前記画像表示装置に対し保守データを電子メールで送信することにより自動的にメインプログラムデータを更新することも可能であるが、一般的に画像表示装置の使用者と保守装置の使用者が別人で且つ遠隔地にあるため、画像表示装置の使用者がメインプログラムデータの更新中とは知らずに画像表示装置の電源を切断する可能性がある。このようにメインプログラムデータの更新作業中に画像表示装置の電源が切断された場合、画像表示装置内に保存されたメインプログラムデータは不完全なデータの状態であるため、画像表示装置の起動を正しく行えず、結果として画像表示装置から映像が表示されなくなるという問題点を有していた。
【００１０】
上記問題点の解決方法として、前記保守データを画像表示装置が受信した場合、何らかのメッセージ画像を画像表示装置上に表示し、その表示期間中は画像表示装置及びネットワーク網といった関連システム全体の電源を切断しないようにする方法が考えられ。しかしながら、画像表示装置としてプロジェクタを想定した場合、大切なプレゼンテーションや映画・劇場上映に使用されるため、映像表示中に上記メッセージ画像が突然表示されることは表示映像の品位を損ね、且つ、画像表示装置の使用者に対し使用制約を突然課すことは好ましくないという新たな問題点を有する。
【００１１】
また、保守装置の使用者は、画像表示装置の状態を任意のネットワーク網を介して知ることができるため、現在画像表示装置が電源投入状態なのかスタンバイ状態なのかを把握することは可能である。そこで前記問題点の解決方法として、画像表示装置から映像が表示されていないスタンバイ状態の時、前記保守データを画像表示装置へ送信する方法が考えられる。しかしながら、前記保守データを送信途中に突然画像表示装置の電源が投入された場合、プロジェクタであれば、電源投入後のランプ点灯動作の際、ランプ駆動電源回路より数１００Ｖのスパイクノイズが発生しプロジェクタ回路基板全体に侵入する。このスパイクノイズが、制御手段（一般的にはＣＰＵ）のデータバスやライト信号やリード信号に重畳することで、前記メインプログラムデータが誤動作を行うため、結果として、メインプログラムデータが正しく主記憶素子に書き込めないという問題点を有する。
【００１２】
本発明は上記従来の問題点を解決するもので、保守装置から任意のタイミングで画像表示装置へ保守データを送信し、確実にメインプログラムデータの更新を行う画像表示装置の保守システムを提供することを目的とする。
【００１３】
【課題を解決するための手段】
この目的を達成するために本発明の画像表示装置の保守システムは、任意のネットワーク網で常時接続された画像表示装置と保守装置において、前記保守装置から前記画像表示装置へ送信された保守データを格納する保守データ格納手段を前記画像表示装置が備え、前記画像表示装置は、電源投入後に前記保守データ格納手段に格納されているデータを参照し前記保守データが格納されている場合、前記保守データを画像表示装置の主記憶素子に書き込みを行った後、前記保守データ格納手段に格納されている前記保守データの削除を行う。
【００１４】
この構成によって、前記保守装置から任意のタイミングで画像表示装置へ保守データを送信し、確実にメインプログラムデータの更新を行うことが可能となる。
【００１５】
【発明の実施の形態】
本発明の請求項１に記載の発明は、所定の場所に固定的に設置され任意のネットワーク網に常時接続されている画像表示装置と、前記ネットワーク網に常時接続され前記画像表示装置の保守を行うための保守装置を備え、前記保守装置は、前記画像表示装置のメインプログラムデータを更新するための新規メインプログラムデータ（以下、保守データと称する）を発生する保守データ発生部と、前記保守データ発生部で生成された保守データを前記ネットワーク網を介して前記画像表示装置に送信可能とする通信手段Ｂと、前記保守データ発生部及び通信手段Ｂを各々制御する制御手段Ｂとを含み、前記画像表示装置は、前記画像表示装置を動作させるメインプログラムデータが格納された主記憶素子と、前記主記憶素子に格納されたメインプログラムデータを展開する揮発性メモリと、前記保守装置から送信された前記保守データを前記ネットワーク網を介して受信する通信手段Ａと、前記通信手段Ａで受信した前記保守データを格納する保守データ格納手段と、前記主記憶素子及び前記揮発性メモリ及び前記通信手段Ａ及び前記保守データ格納手段を各々制御する制御手段Ａとを含み、前記制御手段Ａは、前記画像表示装置の電源投入後に前記保守データ格納手段に格納されているデータを参照し前記保守データが格納されている場合、前記保守データを前記主記憶素子に書き込みを行った後に前記保守データ格納手段に格納されている前記保守データを削除する機能を有するものであり、前記保守装置から任意のタイミングで画像表示装置へ保守データを送信し確実にメインプログラムデータの更新を行わせる作用を有する。
【００１６】
請求項２に記載の発明は、請求項１に記載された発明において、前記画像表示装置は、前記制御手段Ａにより制御される発光素子を更に備え、前記制御手段Ａは前記保守データを前記保守データ格納手段から前記主記憶素子に書き込む期間中、前記発光素子を光点滅或いは光点灯させる機能を更に有するものであり、前記保守データの書き込み期間中を前記画像表示装置の使用者に知らしめる作用を有する。
【００１７】
請求項３に記載の発明は、請求項１及び請求項２記載の発明において、前記制御手段Ａは、前記保守データを前記保守データ格納手段から削除した後に前記画像表示装置のプログラムリセットを実行し、前記主記憶素子に新たに格納された保守データを前記揮発性メモリに展開する機能を更に有するものであり、前記保守データ内容を直ちに画像表示装置の動作に反映する作用を有する。
【００１８】
請求項４に記載の発明は、請求項１から請求項３記載の発明において、前記画像表示装置は、前記制御手段Ａにより制御される任意の画像を表示する表示手段と、前記制御手段Ａに対し外部から制御信号を入力する入力手段とを更に備え、前記制御手段Ａは前記保守データが前記保守データ格納手段に格納されていることを検知した場合、前記保守データを前記主記憶素子に書き込みを実行するか否かのメッセージ画像を前記表示手段より表示を行い、本画像表示装置の使用者が前記入力手段より前記保守データを前記主記憶素子に書き込みを実行するか否かを選択可能とする機能を有するものであり、前記画像表示装置の使用者が前記保守データの更新を実行するか否かを選択可能とする作用を有する。
【００１９】
請求項５に記載の発明は、請求項１から請求項４記載の発明において、前記制御手段Ａは、前記保守データを前記保守データ格納手段から削除した後に、前記通信手段Ａを制御し前記保守データを前記主記憶素子へ書き込みを実行した旨のメッセージを前記保守装置へ送信する機能を有するものであり、前記保守データが前記画像表示装置内に書き込まれたか否かを前記保守装置が容易に把握可能とする作用を有する。
【００２０】
請求項６に記載の発明は、請求項１から請求項４記載の発明において、前記制御手段Ａは、前記保守データを前記主記憶素子へ書き込む際に正常に書き込みが行えたか否かを検出し、前記通信手段Ａを制御し前記検出結果を前記保守装置へ送信する機能を有するものであり、前記保守データが前記画像表示装置内に正常に書き込まれたか否かを前記保守装置が容易に把握可能とする作用を有する。
【００２１】
請求項７に記載の発明は、請求項６記載の発明において、前記制御手段Ａは、前記保守データを前記主記憶素子へ書き込みを行う際に正常に書き込みが行えなかった場合、再度前記保守データ格納手段から前記主記憶素子への保守データの書き込みを実行し、その再書き込み動作が任意の回数を超えた時に書き込み失敗という旨のメッセージを前記保守装置に対し送信するように前記通信手段Ａを制御する機能を有するものであり、前記保守装置が前記保守データを前記画像表示装置内に書き込みが正常に行われたか否かを容易に把握可能とすると共に前記保守データを正常に書き込めない場合、数度リトライを行うことにより書き込み失敗というリスクを低減する作用を有する。
【００２２】
請求項８に記載の発明は、請求項１から請求項７記載の発明において、前記画像表示装置は、前記制御手段Ａにより制御され前記保守データ格納手段に格納された前記保守データが前記画像表示装置用の保守データか否かを判別する保守データ判別手段を更に有するものであり、前記保守データが前記画像表示装置用のものであるか否かを判別することにより、前記画像表示装置用でない保守データが送信された場合において、誤って前記画像表示装置に書き込みを行うことを防ぐ作用を有する。
【００２３】
請求項９に記載の発明は、請求項１から請求項８記載の発明において、前記保守データ判別手段は、前記保守データを送信した前記保守装置を特定する識別番号をもとに前記保守データが前記画像表示装置用の保守データか否かを判別する機能を有するものであり、前記保守データ格納手段に格納された保守データが、前記画像表示装置の保守メンテナンス作業を行う前記保守装置から送信されたか否かを判別することにより、誤った保守データを前記画像表示装置に書き込むことを防ぐ作用を有する。
【００２４】
請求項１０記載の発明は、請求項８及び請求項９記載の発明において、前記保守データ判別手段により前記保守データが前記画像表示装置用の保守データでないと判別された場合、前記制御手段Ａが前記保守データを前記保守データ格納手段から削除する機能を有するものであり、前記保守データが前記画像表示装置用でない場合に前記保守データ格納手段より削除することにより、再度画像表示装置の電源投入時に前記保守データ判別手段で再度保守データを判別する手間を省略する作用を有する。
【００２５】
請求項１１記載の発明は、請求項１から請求項１０記載の発明において、前記制御手段Ａは、前記保守装置から送信された保守データを前記保守データ格納手段に書き込みを行った後に前記通信手段Ａを制御して前記保守装置に対し前記保守データの書き込みが終了した旨のメッセージを送信する機能を有するものであり、前記保守データ格納手段に前記保守データの書き込みが終了したことを前記保守装置に通知することにより、前記保守装置は所望の保守データが前記画像表示装置に格納されたことを把握する作用を有する。
【００２６】
請求項１２記載の発明は、請求項１１記載の発明において、前記制御手段Ａは、前記保守装置から送信された保守データを前記保守データ格納手段に書き込みを行う際に正常に書き込みが行えたか否かを検出し、その検出結果を前記保守装置に対し送信するように前記通信手段Ａを制御する機能を有するものであり、前記保守データ格納手段に前記保守データの書き込みが正常に行えたか否かの結果を前記保守装置に通知することにより、前記保守装置は所望の保守データが前記画像表示装置に正常に格納されたか否かを把握する作用を有する。
【００２７】
以下、本発明の実施の形態について、図１から図１６を用いて説明する。
【００２８】
（実施の形態１）
図１は本発明の実施の形態１における画像表示装置の保守システムの構成図であり、図２はその動作説明図である。
【００２９】
図１において、１はネットワーク機能を有する所定の場所に設置されるプロジェクタに代表される画像表示装置、２は前記画像表示装置１の保守作業を行うパソコン或いはサーバ機器に代表される保守装置、３は構内ＬＡＮやインターネット網に代表される任意のネットワーク網であり、前記画像表示装置１及び保守装置２は常時任意のネットワーク網３に接続されている。また、１０は任意の画像を画像表示装置１上に表示可能とする表示手段、１３は画像表示装置１を動作させるメインプログラムデータが格納されているフラッシュメモリに代表される不揮発性の主記憶素子、１２は主記憶素子１３に格納されたメインプログラムデータを展開するＳＤＲＡＭに代表される揮発性メモリ、１５は任意のネットワーク網３に常時接続され前記保守装置２から送信された保守データを受信する通信手段Ａ、１４は通信手段Ａ１５で受信した保守データを格納するＳＤカードやＰＣカードといった不揮発性のメモリカードに代表される保守データ格納手段、１１は表示手段１０及び揮発性メモリ１２及び主記憶素子１３及び保守データ格納手段１４及び通信手段Ａ１５を各々制御する制御手段Ａ、１００は制御手段Ａ１１のデータバスである。また、２０は保守データを生成する保守データ発生部、２１は任意のネットワーク網３に常時接続され保守データ発生部２０から発生された保守データを画像表示装置１へ送信する通信手段Ｂ、２２は保守データ発生部２０及び通信手段Ｂ２１を各々制御する制御手段Ｂ、２００は制御手段Ｂ２２のデータバスである。
【００３０】
以上のように構成された画像表示装置の保守システムについて、図１及び図２を用いてその動作を説明する。まず、保守装置２において前記保守データを保守データ発生部２０により発生し、その保守データを制御手段Ｂ２２のデータバス２００を通じて通信手段Ｂ２１へ転送する。通信手段Ｂ２１は、任意のネットワーク網３を介して画像表示装置１の通信手段Ａ１５へ前記保守データを送信する。通信手段Ａ１５が保守データを受信したことを検知した制御手段Ａ１１は、その保守データをデータバス１００を通じて、揮発性メモリ１２へ書き込み、その後、その揮発性メモリ１２に書き込まれた前記保守データを保守データ格納手段１４へ書き込みを行う。この書き込み動作は、制御手段Ａ１１がデータバス１００のデータ量を管理しながら行うため、書き込み動作中に表示手段１０から表示されている画像が乱れるといった不具合は生じない。制御手段Ａ１１が通信手段Ａ１５に送信されたデータが保守データか否かの判断は、予め保守データのファイル名称を“保守．ｍｈｘ”などと決めておくことにより、制御手段Ａ１１はそのファイル名称が送信された場合は保守データであり、それ以外の場合は保守データではないと容易に判断可能となる。通信方法として電子メールを使用した場合、電子メールの件名で保守データの判別を行うことも同様に可能である。この保守データを保守データ格納手段１４に書き込む途中に本画像表示装置１の電源を切断された場合、当然保守データ格納手段１４には正常な保守データは記憶されないが、画像表示装置１のメインプログラムデータが格納されている主記憶素子１３は一切変更しておらず、再度電源を起動しても前回と同一のメインプログラムデータで画像表示装置１が起動するため、画像表示装置１を使用する上では全く問題がない。
【００３１】
上記のように保守データ格納手段１４に所望の保守データが正常に格納されている状態で、画像表示装置１の使用者が画像表示装置１の電源を投入すると、主記憶素子１３に格納されていたメインプログラムデータをデータバス１００を介して揮発性メモリ１２へ展開する（ステップＳ１）。一般的に主記憶素子１３に格納されるメインプログラムデータはデータ容量を削減するため、データ圧縮された状態で格納されており、この圧縮されたデータを揮発性メモリ１２上で伸張して展開する。また、画像表示装置１としてプロジェクタが使用される場合、電源投入後にランプ点灯動作を行うが、この時にランプ駆動電源回路から数１００Ｖのスパイクノイズが発生しプロジェクタ回路基板全体に侵入する。このスパイクノイズが各信号線に重畳することでメインプログラムデータが正しく主記憶素子１３から揮発性メモリ１２へ展開できないという課題を回避するため、ランプ点灯動作が終了した後に再度主記憶素子１３に格納されていたメインプログラムデータをデータバス１００を介して揮発性メモリ１２へ展開する（ステップＳ１）動作を行わせる。このように揮発性メモリ１２にメインプログラムデータが展開された後、制御手段Ａ１１は保守データ格納手段１４に格納されたデータを参照（ステップＳ２）し、保守データが格納されているか否かを検索する（ステップＳ３）。このステップＳ３の動作において、保守データが格納されているフォルダ場所が予め決められている場合、この検索作業を短時間で終わらせることが可能となる。例えば、保守データ“保守．ｍｈｘ”は必ずルートディレクトリ下の“保守”というフォルダにしか配置しないとした場合、前記保守データは、保守データ格納手段１４のルートディレクトリ下の“保守”というフォルダ内にのみ格納される。これより、制御手段Ａ１１はステップＳ３において、保守データ格納手段１４のルートディレクトリ下の“保守”というフォルダ内のみデータ検索を行えばよく検索時間の短縮が図られる。ステップＳ３において所望の保守データが保守データ格納手段１４に存在すると判断された場合、制御手段Ａ１１は前記保守データを主記憶素子１３に展開する動作を行い（ステップＳ４）、全て主記憶素子１３に展開終了後（ステップＳ５）、保守データ格納手段１４に格納されている保守データを削除する（ステップＳ６）。ステップＳ６は、画像表示装置１の電源投入の度に同一の保守データに対し、再度ステップＳ１からステップＳ５の動作を繰り返さないためである。また、主記憶素子１３は通常フラッシュメモリで構成されるため、ステップＳ４の動作は、制御手段Ａ１１により、まず主記憶素子１３に書き込まれているメインプログラムデータを消去し、次に保守データ格納手段１４に格納されている保守データをデータバス１００を介して揮発性メモリ１２に書き込み、最後に前記揮発性メモリ１２に書き込まれた該保守データをデータバス１００を介して主記憶素子１３に書き込む方法が一般的に行われている。画像表示装置１としてプロジェクタが用いられる場合、大切なプレゼンテーションや映画上映といった用途に使用されることが多く、通常、Ａ／Ｄ変換器やＰＬＬ回路といったアナログ回路の動作特性が安定するまでの時間を考慮して１０分間以上の暖機運転を行った後にこれらの用途に使用される。前記アナログ回路部品の特性が安定動作領域に入るまでは、Ａ／Ｄ変換器の基準クロック位相とアナログ映像位相がずれ、結果としてラッチミスが発生し、表示手段１０から表示される画像がちらつく或いは輝度の低下や色むらが発生すると行った課題があり、大切なプレゼンテーションや映画上映といった用途には使用ができないため、上記アナログ回路部品の特性が安定するまで暖機運転をすることが一般的である。これに対し、前記保守データの更新作業は、保守データのデータ容量にもよるが、ステップＳ４〜ステップＳ６までに要する時間は約１分〜２分程度であり、通常の使用用途において、プロジェクタの暖機運転時間内に前記保守データの更新は終了可能である。また、この暖機運転はプロジェクタ内部の庫内温度が一定になるまで通電を行い、アナログ回路部品の特性を安定動作領域に入れることを目的とするため、この暖機運転中にプロジェクタの電源を切断することは無い。これより、確実に保守データの更新が行えることになる。更に、プロジェクタの暖機運転中に、制御手段Ａ１１から表示手段１０に対し“Ｎｏｗ  Ｌｏａｄｉｎｇ”などのメッセージを表示させる機能を有している場合、保守データ格納手段１４に保守データがある場合は、ステップＳ６が終了するまでの期間、前記“Ｎｏｗ  Ｌｏａｄｉｎｇ”メッセージを表示させることにより、画像表示装置１の使用者がそのメッセージ表示期間中に電源を突然切断するというリスクを回避可能である。また、“Ｎｏｗ  Ｌｏａｄｉｎｇ”メッセージ表示期間中、プロジェクタのリモコンから送信される電源切断コマンドを制御手段Ａ１１が受信拒否する機能を有することにより、リスク回避がより一層行える。尚、上記“Ｎｏｗ  Ｌｏａｄｉｎｇ”メッセージは暖機運転期間中の表示であるため、プロジェクタの表示品位を損ねるといった新たな課題は生じない。ステップＳ４からステップＳ６の期間は、先述のようにランプ点灯動作が完全に終了した状態で行う方法もあるが、ステップＳ３で制御手段Ａ１１が保守データを検出した時点でランプを消灯することにより、不測の事態でランプが異常状態に突入しランプ駆動電源回路から不要なスパイクノイズが発生するリスクを回避し、メインプログラムデータの更新を確実に実行する方法でも同様な効果を得る。
【００３２】
以上のように本実施の形態によれば、画像表示装置１の電源投入動作時に、制御手段Ａ１１が保守データ格納手段１４へ格納されたデータを検出し、保守装置２から送信された保守データが格納されている場合、その保守データをメインプログラムデータが格納される主記憶素子１３に書き込む手段を設けることにより、確実にメインプログラムデータを更新することが可能となる。また、保守装置２から任意のタイミングで保守データを画像表示装置１に対して送信することができるため、複数台の画像表示装置を集中管理するようなシステムにおいて、全ての画像表示装置に対し、同時に保守データを送信することが可能となり、従来の構成では、保守データの更新が可能な未使用状態の画像表示装置のみを検出して都度保守データを送信せねばならず、管理する画像表示装置の台数が多い場合、どの画像表示装置に保守データを送信し、どの画像表示装置は未だなのかを管理することが非常に煩わしかったという問題点も容易に解決可能となる。
【００３３】
（実施の形態２）
図３は本発明における画像表示装置の保守システムの構成図であり、図４は本発明における画像表示装置の保守システムの動作説明図である。尚、前述した実施の形態と同じ構成については同一の符号を用い、説明を省略する。
【００３４】
図３において、１６は制御手段Ａ１１により制御され、画像表示装置１の外部に向かい光出力を行うＬＥＤに代表される発光素子である。
【００３５】
以上のように構成された画像表示装置の保守システムについて、図４を用いてその動作を説明する。まず、ステップＳ３により保守データ格納手段１４に保守データが格納されていると判断した場合、制御手段Ａ１１は前記保守データを主記憶素子１３へデータバス１００を介して書き込むように制御を行う（ステップＳ４）。この書き込み動作期間中、制御手段Ａ１１は発光素子１６を光点滅させる（ステップＳ７）。この発光素子１６は、保守データ格納手段１４としてＳＤカードやＰＣカードを使用している場合に画像表示装置１に通常備えられている前記カードへのアクセス期間を知らす発光素子を代用しても良い。この発光素子１６を光点滅させることにより、画像表示装置１の使用者に対し、保守データが画像表示装置１に書き込まれている期間を容易に把握させることが可能となる。発光素子１６の光点滅動作は保守データを主記憶素子１３に全て書き込み終わった時点で終了する（ステップＳ５）。尚、本実施例では、画像表示装置１の使用者に保守データの更新期間を知らす手段として発光素子１６を挙げたが、スピーカより任意の音声を発生することでも同様の効果を得る。
【００３６】
以上のように本実施の形態によれば、保守データを主記憶素子１３に書き込み中に発光素子１６を光点滅させる手段を設けることにより、画像表示装置１の使用者に対し、電源投入後に保守データが主記憶素子１３に書き込まれる期間を容易に知らすことが可能となり、画像表示装置１の使用者に対し、少なくとも発光素子１６が光点滅する期間中は、画像表示装置１の電源を切断してはならないと認識させることが可能となる。
【００３７】
（実施の形態３）
図５は本発明の画像表示装置の保守システムにおける動作説明図である。尚、前述した実施の形態と同じ構成については同一の符号を用い、説明を省略する。
【００３８】
ステップＳ６において、保守データ格納手段１４に格納された保守データを削除した後、制御手段Ａ１１はメインプログラムデータのリセットを行う（ステップＳ８）。これより、画像表示装置１は、再度主記憶素子１３に格納されたメインプログラムデータをデータバス１００を介して揮発性メモリ１２に展開する（ステップＳ１）。この時、主記憶素子１３に格納されているメインプログラムデータは、前記保守データに変わっているため、画像表示装置１は、前記保守データの内容に従った動作を実行することが可能となる。その後、制御手段Ａ１１は保守データ格納手段１４へ格納されたデータを参照する（ステップＳ２）が、ステップＳ６で前記保守データは既に削除されているため、保守データを検知できず（ステップＳ３）にそのまま初期化作業を終了する。
【００３９】
以上のように本実施の形態によれば、前記保守データを主記憶素子１３に書き込みを行った後に再度メインプログラムデータをリセットする手段を設けることにより、前記保守データで更新された内容を直ちに画像表示装置１に反映させることが可能となり、画像表示装置１は常に最新のメインプログラムデータで動作させることができる。
【００４０】
（実施の形態４）
図６は本発明における画像表示装置の保守システムの構成図であり、図７は本発明における画像表示装置の保守システムの動作説明図であり、図８は本発明における画像表示装置の保守システムにおいて、保守データが保守データ格納手段へ格納されているときに画像表示装置より表示されるメッセージ画面の一例である。尚、前述した実施の形態と同じ構成については同一の符号を用い、説明を省略する。
【００４１】
図６において、１７はリモコンなどに代表される制御手段Ａ１１に対し任意のコマンドを外部より入力する入力手段である。
【００４２】
以上のように構成された画像表示装置の保守システムについて、図７を用いてその動作を説明する。まず、制御手段Ａ１１が保守データ格納手段１４に保守データが格納されていることを検知した場合（ステップＳ３）、制御手段Ａ１１は表示手段１０を制御することにより図８のようなメッセージ画面を表示する（ステップＳ９）。図８のメッセージ画面を見た画像表示装置１の使用者は、リモコンのような外部からの入力手段により、保守データ格納手段１４に格納された保守データを主記憶装置１３に書き込みを行う（ＯＫ）か否（ＣＡＮＣＥＬ）かを選択する（ステップＳ１０）。画像表示装置１の使用者がステップＳ１０においてＯＫを選択した場合、その制御信号を受信した制御手段Ａ１１は、保守データ格納手段１４に格納された保守データを主記憶素子１３に書き込みを行い（ステップＳ４）、書き込み終了（ステップＳ５）後、前記保守データを削除する（ステップＳ６）。一方、画像表示装置１の使用者がステップＳ１０においてＣＡＮＣＥＬを選択した場合、その制御信号を受信した制御手段Ａ１１は、保守データ格納手段１４に格納された保守データを主記憶素子１３に対し書き込みを行わず、そのまま初期化作業を終了する。この場合、再度画像表示装置１の電源投入を行う際、再び図７に示したフローチャートに従って動作を行うため、画像表示装置１の使用者の都合に合わせて画像表示装置１のメインプログラムデータを更新することが可能となる。一方、図７のフローチャートでの動作は、画像表示装置１の使用者がステップＳ１０でＣＡＮＣＥＬを選択しても、保守データ格納手段１４に格納された保守データは常に存在しているため、画像表示装置１の電源を投入するたびに図８のメッセージ画面が常に表示される。このメッセージ画面が常に表示される状態は、ステップＳ１０でＣＡＮＣＥＬを選択した場合、保守データ格納手段１４へ格納されている保守データを削除する（ステップＳ６）手段を設けることにより回避される。
【００４３】
以上のように本実施の形態によれば、前記保守データが保守データ格納手段１４に格納されている場合、図８に示すようなメッセージ画面を画像表示装置１から表示し、本画像表示装置の使用者に対し、前記保守データを主記憶素子１３に書き込みを行うか否かを外部からの入力手段１７より選択する手段を設けることにより、画像表示装置１の使用者の都合に合わせて画像表示装置１のメインプログラムデータを更新することが可能となる。一般的には、送信された保守データを画像表示装置１に直ちに導入する方が望ましいが、導入することにより予期せぬ不具合が発生する可能性が１００％無いとは言い切れない。即ち、画像表示装置１が現時点で安定に動作している状態において、画像表示装置１の使用者は、特別大切なプレゼンテーションが当日に控えている場合、リスク回避の意味もあり、メインプログラムデータの更新は次の機会に回すことがある。その際、本実施の形態に示す手段がある場合、非常に有効となる。
【００４４】
（実施の形態５）
図９は本発明の画像表示装置の保守システムにおける動作説明図である。尚、前述した実施の形態と同じ構成については同一の符号を用い、説明を省略する。
【００４５】
ステップＳ６において、保守データ格納手段１４に格納された保守データを削除した後、制御手段Ａ１１は、通信手段Ａ１５を制御し任意のネットワーク網３を介して保守装置２に対し前記保守データが主記憶素子１３に書き込まれたことを通知する（ステップＳ１１）。尚、本実施例において、保守データを主記憶素子１３に書き込まれた後（ステップＳ５）に、書き込み終了通知を画像表示装置１から保守装置２に対して行っても同様な効果を得る。
【００４６】
以上のように本実施の形態によれば、前記保守データが主記憶素子１３に書き込まれたことを保守装置２に通知する手段を有することにより、保守装置２の管理者が複数台の画像表示装置を同時に管理している場合、どの画像表示装置の保守データが更新され、どの画像表示装置の保守データが更新されていないかを容易に把握することが可能となる。プロジェクタのような画像表示装置が数十台も納入されるような大画面映像システムを１台の保守装置で一括管理するようなシステムの場合、各プロジェクタから送信されるメッセージを保管し整理するだけで、効率的に各プロジェクタのメインプログラムデータのバージョンを管理可能となる。
【００４７】
（実施の形態６）
図１０は本発明の画像表示装置の保守システムにおける動作説明図である。尚、前述した実施の形態と同じ構成については同一の符号を用い、説明を省略する。
【００４８】
保守データを保守データ格納手段１４から主記憶素子１３に書き込みを行う際（ステップＳ４）、何らかの異常が発生したことにより書き込みが行えなくなった場合（ステップＳ１２）、制御手段Ａ１１は正常に書き込みが行えなかったと判断し、通信手段Ａ１５を制御し任意のネットワーク網３を介して保守装置２にその結果を通知する（ステップＳ２）。この結果を受信した保守装置２の管理者は、画像表示装置１において、保守データの書き込みが失敗したことを把握する。一方、保守データを保守データ格納手段１４から主記憶素子１３に書き込みを行う際（ステップＳ４）、正常に書き込みが終了（ステップＳ５）した場合、その旨のメッセージを保守装置２に送信する（ステップＳ２）。
【００４９】
以上のように本実施の形態によれば、前記保守データが主記憶素子１３に正常に書き込まれたか否かを検知し、その検知結果を保守装置２に通知する手段を有することにより、保守装置２の管理者は、画像表示装置１において、保守データを主記憶素子１３に書き込みを行った作業のみならずその結果についても把握でき、保守データの書き換えが失敗した場合、再度保守データの書き込みを実行させる或いは何らかの失敗要因が画像表示装置１に存在している可能性があるため、その原因解析を行うといった次の対策を迅速に行うことが可能となる。
【００５０】
（実施の形態７）
図１１は本発明の画像表示装置の保守システムにおける動作説明図である。尚、前述した実施の形態と同じ構成については同一の符号を用い、説明を省略する。
【００５１】
ステップＳ１２において、保守データを主記憶素子１３へ書き込み失敗した場合、制御手段Ａ１１は再度最初から保守データ格納手段１４に格納された保守データを主記憶素子１３へ書き込みを行わせる（ステップＳ４）。この再書き込み動作において正常に書き込みが終了（ステップＳ５）すれば、画像表示装置１は正常に書き込みが終了したと判断し、その旨のメッセージを任意のネットワーク網３を介して保守装置２へ送信する。一方、何らかの致命的欠陥が画像表示装置１に存在する場合、再書き込み動作を行っても常に異常発生（ステップＳ１２）となるため、この再書き込み動作を何回行うかというカウンタを制御手段Ａ１１に設ける。例えば、再書き込み動作を２回までとした場合、まず１回目の異常発生時、制御手段Ａ１１は、１回目と判断（ステップＳ１３）し再度ステップＳ４を実行するように制御する。再び異常検出を行った場合（ステップＳ１２）、制御手段Ａ１１は２回目と判断（ステップＳ１３）し再度ステップＳ４を実行するように制御する。次にまた異常検出を行った場合（ステップＳ１２）、制御手段Ａ１１は３回目と判断（ステップＳ１３）し、今度はステップＳ４に戻らず異常であるとして保守装置２に対しその旨のメッセージを送信する（ステップＳ１１）。
【００５２】
以上のように本実施の形態によれば、前記保守データが主記憶素子１３に正常に書き込まれない場合、再度書き込み動作を実行する手段を有することにより、再書き込み動作で正常に書き込みが行えるような、何らかの要因により生じたノイズでの書き込み失敗をいちいち保守装置２に通知する必要が無くなる。保守装置２が画像表示装置１より保守データの書き換え失敗通知を受信した場合、保守装置２の管理者は、たまたま書き換えを失敗したのではなく、根本的な失敗要因が画像表示装置１にあることを容易に推測でき、画像表示装置１の修理に迅速に着手することが可能となる。
【００５３】
（実施の形態８）
図１２は本発明における画像表示装置の保守システムの構成図であり、図１３は本発明における画像表示装置の保守システムの動作説明図である。尚、前述した実施の形態と同じ構成については同一の符号を用い、説明を省略する。
【００５４】
図１２において、１８は保守装置２より送信された保守データが本画像表示装置１用の保守データか他機種用の保守データかを判断する保守データ判別手段である。
【００５５】
以上のように構成された画像表示装置の保守システムについて、図１３を用いてその動作を説明する。まず、ステップＳ３において保守データ格納手段１４に保守データが格納されていることを検知した制御手段Ａ１１は、その保守データが本画像表示装置１用のものか否かを保守データ判別手段１８に参照する（ステップＳ１４）。保守データ判別手段１８は保守データのヘッダーファイルを解析し、その保守データが対象となる機種のモデル品番と画像表示装置１のモデル品番が合致しているかを比較する。モデル品番が合致している場合は、その保守データを主記憶素子１３へ書き込むが、異なる場合は主記憶素子１３へ書き込みは行わずにそのまま初期化作業を終了する。例えば、画像表示装置としてプロジェクタを例に挙げると、プロジェクタも毎年いろいろな機種がリリースされており、プロジェクタを複数台扱う大型映像システムにおいて、種々のモデル品番のプロジェクタが混在するケースは一般的に存在する。モデル品番が異なると内蔵されるハードウェア構成も異なるため、モデル品番が異なる保守データを書き込むと再度電源を投入したときにプロジェクタが起動しないといった不具合が生じる可能性があるため、モデル品番が合致しない保守データを主記憶素子１３に書き込まないようにせねばならない。前述の保守データ判別手段１８としてプロジェクタのモデル品番を検出する例を挙げたが、更に保守データ格納手段１４に格納された保守データのバージョンを検出して、現在主記憶素子１３に格納されているメインプログラムデータのバージョンより古い場合は、前記保守データを主記憶素子１３に書き込みを行わない機能を備えることにより、常に主記憶素子１３に格納されたメインプログラムデータは、本画像表示装置１用であり且つ最新バージョンとなる。画像表示装置１のメインプログラムデータは、画像表示装置１のハードウェアが変更することにより初めて有効となる場合があり、ハードウェアの変更が行われている状態で間違って旧バージョンのメインプログラムデータが主記憶素子１３に格納された場合、画像表示装置１が正常に動作しない可能性がある。即ち、上記把手データ判別手段１８としてメインプログラムデータのバージョン管理を併せて実行する手段は非常に有効である。
【００５６】
また、保守データ判別手段１８として、保守データ格納手段１４に格納された保守データの送信元である保守装置２を特定するＩＰアドレスやメールアドレスなどの識別番号を予め登録し、ステップＳ３において保守データを制御手段Ａ１１が検知した場合、その保守データの送信元の識別番号を保守データ判別手段１８に登録された保守装置２の識別番号と比較し、両者の識別番号が一致する場合は、正規の保守データと判断して主記憶素子１３に書き込みを行う。一方、両者の識別番号が不一致の場合、正規の保守データでは無いと判断し、その保守データは主記憶素子１３に書き込まれない。これより、保守データ判別手段１８に登録された識別番号を有する保守装置２から送信された保守データのみ画像表示装置１の主記憶素子１３に書き込み可能となるため、何らかの不具合により他の保守装置或いは任意のパソコンから画像表示装置１に保守データが送信された場合においても、常に送信元が確認された安全な保守データのみ主記憶素子１３に書き込みを行うことが可能となる。
【００５７】
更に、保守データ判別手段１８において、前記保守データが画像表示装置１用ではないと判断した結果を図９のステップＳ１１のように保守装置２に対し送信する手段を設けることにより、保守装置２の管理者に対し、間違った保守データが送信されたことを通知可能となる。この通知を入手した保守装置２の管理者は、間違った保守データを正規なものに交換して再送信する或いは本来送信せねばならない他の画像表示装置に転送するといった修正を迅速に行うことが可能となる。
【００５８】
以上のように本実施の形態によれば、保守データ判別手段１８により保守データ格納手段１４に格納された保守データが本画像表示装置１用の保守データか否かを判断する手段を有することにより、確実に本画像表示装置１用のデータのみを主記憶素子１３に書き込ませることが可能となる。また、保守データ判別手段１８として前記保守データの送信元を判別する手段を有することでも同様な効果を得る。これより、本実施の形態によれば、多種多様な画像表示装置のモデル品番が混在するシステムにおいても、これらの画像表示装置を一括管理する保守装置２の管理者が、間違ってモデル品番が異なる保守データを送信するミスを冒した場合でも、画像表示装置側で対処可能となり、安全な保守システムが構築可能となる。
【００５９】
（実施の形態９）
図１４は本発明の画像表示装置の保守システムにおける動作説明図である。尚、前述した実施の形態と同じ構成については同一の符号を用い、説明を省略する。
【００６０】
ステップＳ１４において、保守データ判別手段１８により前記保守データが、本画像表示装置１用の保守データでないと判断した場合、制御手段Ａ１１は前記保守データを保守データ格納手段１４から削除する（ステップＳ６）。
【００６１】
以上のように本実施の形態によれば、前記保守データが本画像表示装置１用の保守データでないと判断した場合、制御手段Ａ１１は前記保守データを保守データ格納手段１４から削除する手段を有することにより、間違った保守データが保守データ格納手段１４に格納されている場合において、次に画像表示装置１の電源を再度投入した場合、ステップＳ３を行った後に再度ステップＳ１４を実行する手間を省略することが可能となる。
【００６２】
（実施の形態１０）
図１５は本発明の画像表示装置の保守システムにおける動作説明図である。尚、前述した実施の形態と同じ構成については同一の符号を用い、説明を省略する。
【００６３】
まず、何らかの保守データを保守装置２から画像表示装置１へ送信せねばならない場合、保守装置２の通信手段Ｂ２１から任意のネットワーク網３を介して画像表示装置１の通信手段Ａ１５へ前記保守データを送信する（ステップＳ１５）。制御手段Ａ１１は保守装置２から送信されたデータが保守データか否かを判断する（ステップＳ１６）。送信されたデータが保守データか否かは実施の形態１に示した方法で容易に判断することが可能となる。送信されたデータが保守データである場合、制御手段Ａ１１は、データバス１００を介して前記保守データを保守データ格納手段１４に格納する（ステップＳ１７）。そして、制御手段Ａ１１は保守データ格納手段１４に保守データを全て格納したことを検知（ステップＳ１８）した後、通信手段Ａ１５を制御することにより、任意のネットワーク網３を介して保守装置２へ検知結果を通知する（ステップＳ１９）。これより、保守装置２の管理者は、画像表示装置１から保守データの書き込み結果を見ることにより、送信した保守データが画像表示装置１内の保守データ格納手段１４に格納されたことを把握可能となる。
【００６４】
ステップＳ１５からステップＳ１８の動作中に画像表示装置１の電源が切断された場合、保守装置２から送信された保守データは画像表示装置１に正常に格納されていないため、ステップＳ１９よりデータ転送失敗の通知が届く。これより、保守装置２の管理者は、画像表示装置１に所望の保守データが届いていないことを認識できるため、再度保守データを送信せねばならないが、画像表示装置１の主記憶素子１３に格納されたメインプログラムデータの変更を実施していないため画像表示装置１が再度起動しなくなるといった不具合は生じない。
【００６５】
以上のように本実施の形態によれば、保守装置２から送信された保守データが画像表示装置１にある保守データ格納手段１４に格納されたことを通知する手段を有することにより、保守装置２の管理者は、送信した保守データが画像表示装置１内の保守データ格納手段１４に格納されたことを把握可能となる。また、送信する保守データは、画像表示装置１のメインプログラムデータが格納されている主記憶素子１３のデータを一切更新しないため、保守装置２の管理者は任意のタイミングで保守データを送信しても画像表示装置１に対し深刻な影響を与える心配がない。更に、複数台の画像表示装置を１台の保守装置で一括管理するような大型映像システムにおいて、前記保守装置の管理者は各画像表示装置の使用状況にかかわらず任意のタイミングで保守データを一括送信することが可能となり、保守業務を非常に簡便にすることが可能となる。このとき、ある画像表示装置の電源が切断された場合、その画像表示装置からは保守データ格納の結果通知が保守装置に届かないため、保守装置の管理者はその画像表示装置には保守データが格納されていないことを把握することが可能となり、再度、その画像表示装置にのみ保守データを送信することで、保守装置の管理者が任意のタイミングでシステム全体を常に把握することが可能となる。
【００６６】
（実施の形態１１）
図１６は本発明の画像表示装置の保守システムにおける動作説明図である。尚、前述した実施の形態と同じ構成については同一の符号を用い、説明を省略する。
【００６７】
ステップＳ１７において、保守装置２から送信された保守データを保守データ格納手段１４に書き込む場合、保守データ格納手段１４が画像表示装置１上に装着されていない或いは残ファイル容量不足により、正常に保守データ格納手段１４に格納することができず、制御手段Ａ１１は書き込み失敗と判断する（ステップＳ２０）。その結果を制御手段Ａ１１は通信手段Ａ１５を制御し任意のネットワーク網３を介して保守装置２に通知する（ステップＳ１９）。この通知を受信した保守装置２の管理者は送信した保守データが何らかの不具合により画像表示装置１の保守データ格納手段１４に格納されなかったことを把握し、その対策を迅速に実行することが可能となる。また、保守データ格納手段１４への書き込み失敗の要因として予測されるものについては、事前にエラーコード表を制御手段Ａ１１に持たせておく。エラーコード表の一例を以下示す。
【００６８】
保守データ格納手段１４の未装着・・・エラーコード“Ｅ０１”
保守データ格納手段１４の容量不足・・・エラーコード“Ｅ０２”
保守データの書き込み失敗要因を制御手段Ａ１１が検知し、その検知結果を上記エラーコード表と照合し、該当するエラーコードも同時に保守装置２へ通知することにより、その通知を受信した保守装置２の管理者は的確な対応が可能となる。
【００６９】
以上のように本実施の形態によれば、保守装置２から送信された保守データが画像表示装置１の保守データ格納手段１４に正常に格納されたか否かを保守装置２へ通知する手段を有することにより、保守装置２の管理者は、送信した保守データが正常に画像表示装置１に届いたか否かを判断することが可能となり、且つ、複数台の画像表示装置を管理するような大型システムにおいても、どの画像表示装置に保守データが届いており、どの画像表示装置に届いていないのかを把握することが可能となる。また、保守データが正常に保守データ格納手段１４に格納されたか否かの情報を保守装置２が受信することにより、画像表示装置１の状態を把握することも可能となる。
【００７０】
【発明の効果】
以上のように本発明は、保守装置から送信された保守データを確実に画像表示装置にある主記憶素子に書き込むことが可能となる効果を得る。また、前記保守データが主記憶素子に正常に書き込みが行われたか否かを保守装置へ通知する手段を有することにより、複数台の画像表示装置を１台の保守装置で一括管理するようなシステムにおいて、そのシステム管理者がどの画像表示装置に前記保守データが正常に更新されたかを容易に把握することができ、前記保守データが更新されていない画像表示装置に対し迅速なフォローを行うことが可能となる。
【００７１】
また、保守データ判別手段を備えることにより、該画像表示装置用ではない間違ったモデル品番用の保守データが該画像表示装置に送信された場合においても、その保守データを主記憶素子に書き込むことを未然に防ぐことが可能となるため、確実に所望の保守データを画像表示装置の主記憶素子に書き込むことを可能とする効果を有する。
【図面の簡単な説明】
【図１】本発明の実施の形態１における画像表示装置の保守システムの構成図
【図２】本発明の実施の形態１における画像表示装置の保守システムの動作説明図
【図３】本発明の実施の形態２における画像表示装置の保守システムの構成図
【図４】本発明の実施の形態２における画像表示装置の保守システムの動作説明図
【図５】本発明の実施の形態３における画像表示装置の保守システムの動作説明図
【図６】本発明の実施の形態４における画像表示装置の保守システムの構成図
【図７】本発明の実施の形態４における画像表示装置の保守システムの動作説明図
【図８】本発明の実施の形態４における画像表示装置から表示されるメッセージ画像例を示す図
【図９】本発明の実施の形態５における画像表示装置の保守システムの動作説明図
【図１０】本発明の実施の形態６における画像表示装置の保守システムの動作説明図
【図１１】本発明の実施の形態７における画像表示装置の保守システムの動作説明図
【図１２】本発明の実施の形態８における画像表示装置の保守システムの構成図
【図１３】本発明の実施の形態８における画像表示装置の保守システムの動作説明図
【図１４】本発明の実施の形態９における画像表示装置の保守システムの動作説明図
【図１５】本発明の実施の形態１０における画像表示装置の保守システムの動作説明図
【図１６】本発明の実施の形態１１における画像表示装置の保守システムの動作説明図
【図１７】従来における画像表示装置の保守システムの構成図
【符号の説明】
１  画像表示装置
２  保守装置
３  任意のネットワーク網
１０  表示手段
１１  制御手段Ａ
１２  揮発性メモリ
１３  主記憶素子
１４  保守データ格納手段
１５  通信手段Ａ
１６  発光素子
１７  入力手段
１８  保守データ判別手段
１９  状態検知手段
２０  保守データ発生部
２１  通信手段Ｂ
２２  制御手段Ｂ
１００  画像表示装置の制御手段Ａのデータバス
２００  保守装置の制御手段Ｂのデータバス
【図１】
2005024606.tif 000003
【図２】
2005024606.tif 000004
【図３】
2005024606.tif 000005
【図４】
2005024606.tif 000006
【図５】
2005024606.tif 000007
【図６】
2005024606.tif 000008
【図７】
2005024606.tif 000009
【図８】
2005024606.tif 000010
【図９】
2005024606.tif 000011
【図１０】
2005024606.tif 000012
【図１１】
2005024606.tif 000013
【図１２】
2005024606.tif 000014
【図１３】
2005024606.tif 000015
【図１４】
2005024606.tif 000016
【図１５】
2005024606.tif 000017
【図１６】
2005024606.tif 000018
【図１７】
2005024606.tif 000019